(57)【要約】【課題】  画像形成毎に使用量の多いユーザに警鐘となる使用順位情報を提供し、ユーザに対して使用量削減を意識させることを可能にする。【解決手段】  入力部３、９、１３は、画像形成装置Ａに対する画像データおよび当該画像データの取り込みに際して求められるユーザの識別符号の入力を受ける。記憶部５は、当該装置に係る累積使用回数を含むユーザ毎のユーザ履歴を記憶する。ユーザ履歴作成部７は、識別符号が入力されたとき、記憶されたユーザ履歴に対し当該ユーザの累積使用回数を更新してそのユーザ履歴を作成する。表示部９はユーザ履歴を表示する。表示制御部２７は、ユーザの累積使用回数が基準回数を超えて多いとき、所定期間における使用回数の多い順に、所定数のユーザ履歴を表示部９に表示制御する。【選択図】  図１
2011113023.tif 000002
【特許請求の範囲】
【請求項１】
画像形成装置に対する画像データと当該画像データの取り込みに際して求められるユーザに係る識別符号との入力を受ける入力部と、
当該装置に係る累積使用回数を含む前記ユーザ毎のユーザ履歴を記憶する記憶部と、
前記識別符号が入力されたとき、記憶された前記ユーザ履歴に対し当該ユーザの前記累積使用回数を更新して前記ユーザ履歴を作成するユーザ履歴作成部と、
前記ユーザ履歴を表示する表示部と、
入力された前記識別符号に係る当該ユーザの前記累積使用回数が基準回数を超えて多いとき、所定期間における使用回数の多い順に、当該ユーザを含めて所定数の前記ユーザ履歴を前記表示部に表示制御する表示制御部と、
を具備することを特徴とする画像形成装置の表示制御装置。
【請求項２】
前記表示制御部は、表示される前記ユーザ履歴としてユーザ名に加えて、使用順位および又は使用回数を表示制御する請求項１記載の画像形成装置の表示制御装置。
【請求項３】
前記表示制御部は、使用回数の多い最上位順から前記ユーザ履歴を表示制御する請求項１又は２記載の画像形成装置の表示制御装置。
【請求項４】
前記表示制御部は、入力された前記識別符号に係る当該ユーザの順位前後の所定数の前記ユーザ履歴を表示制御する請求項１又は２記載の画像形成装置の表示制御装置。
【請求項５】
前記表示部に表示された個々の前記ユーザ履歴の選択を受ける選択部を有し、前記表示制御部は、選択された個々の前記ユーザ履歴の詳細履歴を前記表示部に表示制御する請求項１〜４いずれか１記載の画像形成装置の表示制御装置。
【請求項６】
前記表示制御部は、前記ユーザ履歴を当該装置の外部へ出力制御する請求項１〜５いずれか１記載の画像形成装置の表示制御装置。
【請求項７】
点灯部および又は警報発音部を有し、前記表示制御部は、入力された前記識別符号に係る使用回数が前記基準回数を超えるとき、前記点灯部および又は警報発音部を駆動制御する請求項１〜６いずれか１記載の画像形成装置の表示制御装置。
【請求項８】
前記請求項１〜７いずれか１記載の表示制御装置と、前記画像データを画像形成する画像形成部とを具備することを特徴とする画像形成装置。
【請求項９】
画像データを入力して画像形成する画像形成装置と、情報処理して前記画像データを作成し当該画像データおよびユーザに係る識別符号を前記画像形成装置にネットワークを介して出力する情報処理装置と、を具備する画像形成システムであり、
前記画像形成装置は、
前記画像データおよび識別符号の入力を受ける入力部と、
当該装置に係る累積使用回数を含む前記ユーザ毎のユーザ履歴を記憶する記憶部と、
前記識別符号が入力されたとき、記憶された前記ユーザ履歴に対し当該ユーザの前記累積使用回数を更新して前記ユーザ履歴を作成するユーザ履歴作成部と、
入力された前記識別符号に係る当該ユーザの前記累積使用回数が基準回数を超えて多いとき、所定期間における使用回数の多い順に、当該ユーザを含めて所定数の前記ユーザ履歴を表示用に前記ネットワークを介して前記情報処理装置に出力制御する出力制御部と、を具備し、
前記情報処理装置は、
前記ユーザ履歴を表示する表示部と、
前記ネットワークを介して入力された前記ユーザ履歴を前記表示部に表示制御する表示制御部と、を具備することを特徴とする画像形成システム。
【請求項１０】
前記出力制御部は、表示される前記ユーザ履歴としてユーザ名に加えて、使用順位および又は使用回数を出力制御する請求項９記載の画像形成システム。
【請求項１１】
前記出力制御部は、使用回数の多い最上位順から前記ユーザ履歴を出力制御する請求項９又は１０記載の画像形成システム。
【請求項１２】
前記出力制御部は、入力された前記識別符号に係る当該ユーザの順位前後の所定数の前記ユーザ履歴を表示制御する請求項９又は１０記載の画像形成システム。
【請求項１３】
前記表示部に表示された個々の前記ユーザ履歴の選択を受ける選択部を有し、前記表示制御部は、選択された個々の前記ユーザ履歴の詳細履歴を前記表示部に表示制御する請求項９〜１２いずれか１記載の画像形成システム。
【発明の詳細な説明】
【技術分野】
【０００１】
本発明は画像形成装置の表示制御装置、画像形成装置および画像形成システムに係り、プリンタ、複写機、ファクシミリ、これらの機能を有する複合機（ＭＦＰ：Multi Function Peripheral）等の画像形成装置に搭載して好適する表示制御装置、当該画像形成装置および画像形成システムの改良に関する。
【背景技術】
【０００２】
従来、画像形成装置は、例えば外部から入力された画像データに基づき回転する感光体の表面に潜像を形成し、トナーによってその潜像からトナー像を形成し、給紙段から給紙搬送した用紙にトナー像を回転する感光体から転写し、その用紙を加熱定着部を通して転写トナーを加熱定着させて排紙する構成が良く知られている。
【０００３】
そして、この種の画像形成装置では、用紙やトナー等の消耗品の消費量を減少させて経費削減や省資源化を図る観点から、その使用実績を管理可能に構成し、使用実績に基づき、使用量の多いユーザに注意を促すことが良く行われている。
【０００４】
この種の従来公報として例えば特開２００６−２０９４０２号公報（特許文献１）の画像形成装置用管理装置が提案されている。
【先行技術文献】
【特許文献】
【０００５】
【特許文献１】特開２００６−２０９４０２号公報
【発明の概要】
【発明が解決しようとする課題】
【０００６】
しかしながら、上述した従来構成では、使用実績の報告が月末や毎月の特定日で集計されることが多く、これらの集計結果が使用後の実績であるため、各ユーザにとっては画像形成装置の使用時に当該時点の使用実績を考慮して使用することが困難で、画像形成装置の使用頻度を低下させるためには特別の工夫が必要である。
【０００７】
そこで、本発明者は、画像形成装置の構成およびこの使用形態を注意深く観察検討した結果、使用量が多いユーザに対して使用毎に使用順位を知らせることにより、他者と競争することにより印刷（印字）を自重させ、利用回数を減少させることが容易である点に着目し、本発明を完成させた。
【０００８】
本発明はそのような課題を解決するためになされたもので、画像形成毎に使用量の多いユーザに警鐘となる使用順位情報を提供し、ユーザに対して使用量削減を意識させることが可能な画像形成装置の表示制御装置、画像形成装置および画像形成システムを目的とする。
【課題を解決するための手段】
【０００９】
そのような課題を解決するために本発明の請求項１に係る表示制御装置は、画像形成装置に対する画像データと当該画像データの取り込みに際して求められるユーザに係る識別符号との入力を受ける入力部と、当該装置に係る累積使用回数を含むユーザ毎のユーザ履歴を記憶する記憶部と、その識別符号が入力されたとき、記憶されたユーザ履歴に対し当該ユーザの累積使用回数を更新してそのユーザ履歴を作成するユーザ履歴作成部と、そのユーザ履歴を表示する表示部と、入力された識別符号に係る当該ユーザの累積使用回数が基準回数を超えて多いとき、所定期間における使用回数の多い順に、当該ユーザを含めて所定数のユーザ履歴をその表示部に表示制御する表示制御部と、を具備している。
【００１０】
本発明の請求項２に係る表示制御装置は、上記表示制御部が、表示されるユーザ履歴としてユーザ名に加えて、使用順位および又は使用回数を表示制御する構成を有している。
【００１１】
本発明の請求項３に係る表示制御装置は、上記表示制御部が、使用回数の多い最上位順からユーザ履歴を表示制御する構成を有している。
【００１２】
本発明の請求項４に係る表示制御装置は、上記表示制御部が、入力された識別符号に係る当該ユーザの順位前後の所定数のユーザ履歴を表示制御する構成を有している。
【００１３】
本発明の請求項５に係る表示制御装置は、上記表示部に表示された個々のユーザ履歴の選択を受ける選択部を有し、上記表示制御部が、選択された個々のユーザ履歴の詳細履歴を表示部に表示制御する構成を有している。
【００１４】
本発明の請求項６に係る表示制御装置は、上記表示制御部が、そのユーザ履歴を当該装置の外部へ出力制御する構成を有している。
【００１５】
本発明の請求項７に係る表示制御装置は、点灯部および又は警報発音部を有し、上記表示制御部が、入力された識別符号に係る使用回数が基準回数を超えるとき、それら点灯部および又は警報発音部を駆動制御する構成を有している。
【００１６】
本発明の請求項８に係る画像形成装置は、それら請求項１〜７いずれか１記載の表示制御装置と、その画像データを画像形成する画像形成部とを具備している。
【００１７】
本発明の請求項９に係る画像形成システムは、画像データを入力して画像形成する画像形成装置と、情報処理して画像データを作成し当該画像データおよびユーザに係る識別符号をその画像形成装置にネットワークを介して出力する情報処理装置と、を具備している。
【００１８】
しかも、上記画像形成装置は、その画像データおよび識別符号の入力を受ける入力部と、当該装置に係る累積使用回数を含む前記ユーザ毎のユーザ履歴を記憶する記憶部と、その識別符号が入力されたとき、記憶された前記ユーザ履歴に対し当該ユーザの累積使用回数を更新してユーザ履歴を作成するユーザ履歴作成部と、入力された識別符号に係る当該ユーザの累積使用回数が基準回数を超えて多いとき、所定期間における使用回数の多い順に、当該ユーザを含めて所定数のユーザ履歴を表示用にネットワークを介して情報処理装置に出力制御する出力制御部と、を具備している。
【００１９】
さらに、上記情報処理装置は、そのユーザ履歴を表示する表示部と、そのネットワークを介して入力されたユーザ履歴を表示部に表示制御する表示制御部と、を具備している。
【００２０】
本発明の請求項１０に係る画像形成システムは、上記出力制御部が、表示されるユーザ履歴としてユーザ名に加えて、使用順位および又は使用回数を出力制御する構成を有している。
【００２１】
本発明の請求項１１に係る画像形成システムは、上記出力制御部が、使用回数の多い最上位順からユーザ履歴を出力制御する構成を有している。
【００２２】
本発明の請求項１２に係る画像形成システムは、上記出力制御部が、入力された識別符号に係る当該ユーザの順位前後の所定数のユーザ履歴を表示制御する構成を有している。
【００２３】
本発明の請求項１３に係る画像形成システムは、上記表示部に表示された個々のユーザ履歴の選択を受ける選択部を有し、上記表示制御部は、選択された個々のユーザ履歴の詳細履歴をその表示部に表示制御する構成を有している。
【発明の効果】
【００２４】
このような本発明の請求項１、９に係る表示制御装置および画像形成システムでは、入力された識別符号に係る当該ユーザの累積使用回数が基準回数を超えて多いとき、所定期間における使用回数の多い順に、当該ユーザを含めて所定数のユーザ履歴をその表示部に表示するから、画像形成毎に使用量の多いユーザに警鐘となる使用順位情報を提供し、ユーザに対して使用量削減を意識させることが可能である。
【００２５】
本発明の請求項２、１０に係る表示制御装置および画像形成システムでは、表示されるユーザ履歴としてユーザ名に加えて、使用順位および又は使用回数を表示するから、使用量の多いユーザに警鐘となる具体的な使用順位情報を提供可能である。
【００２６】
本発明の請求項３、１１に係る表示制御装置および画像形成システムでは、使用回数の多い最上位順からユーザ履歴を表示するから、使用量の多いユーザに警鐘となるより端的な使用順位情報を提供可能である。
【００２７】
本発明の請求項４、１２に係る表示制御装置および画像形成システムでは、入力された識別符号に係る当該ユーザの順位前後の所定数のユーザ履歴を表示するから、使用回数の多いユーザが多数いても、入力された識別符号に係る当該ユーザの順位履歴を表示することが容易である。
【００２８】
本発明の請求項５、１３に係る表示制御装置および画像形成システムでは、選択された個々のユーザ履歴の詳細履歴をその表示部に表示するから、使用量の多い特定ユーザの詳細使用情報を提供可能である。
【図面の簡単な説明】
【００２９】
【図１】本発明に係る画像形成装置を含む画像形成システムの実施の形態を示すブロック図である。
【図２】本発明に係る画像形成装置を示す概略内部構成図である。
【図３】本発明に関するユーザ履歴一覧を説明する図である。
【図４】図１に示す操作パネル部を説明する図である。
【図５】図１の操作パネル部におけるユーザ履歴の表示状態を説明する図である。
【発明を実施するための最良の形態】
【００３０】
以下、本発明に係る表示制御装置、画像形成装置および画像形成システムの実施の形態を、図面を参照して説明する。なお、本発明に係る表示制御装置および画像形成装置は、本発明に係る画像形成システムを説明する過程で説明する。
【００３１】
図１は、本発明に係る画像形成システムの実施の形態を示すブロック図であり、画像形成装置Ａと、ネットワークＮＴを介して接続された情報処理装置Ｂとを有して構成されている。
【００３２】
まず、画像形成装置Ａから説明する。
【００３３】
図１において、画像形成装置Ａは、主制御部１を中心にして画像取込部３、記憶部５、ユーザ履歴作成部７、操作パネル部９、印刷部１１および通信部１３を有し、例えばプリンタを構成している。なお、画像形成装置Ａは、これ以外にも構成を有するが、本発明の要旨ではないので説明および図示を省略する。
【００３４】
画像取込部３は、例えば図２に示すように、画像形成装置Ａの本体ケース１５の上部に配置され、主制御部１の制御の下、例えば印刷された原稿から画像を光学的に読み込み、フィルタ処理等をして電子的印刷ジョブを生成する公知のスキャナ等の画像データの入力部であり、生成した印刷ジョブが記憶部５に順次記憶されるようになっている。画像形成装置Ａの内部構成については後述する。
【００３５】
記憶部５は、主制御部１の制御の下、画像取込部３からの読取画像データ又は通信部１３からの受信画像データ、後述するユーザ履歴および基準回数等を記憶する他、主制御部１の動作プログラムを記憶した読み書き可能な例えばハードディスクである。
【００３６】
ユーザ履歴は、例えば図３に示すように、当該画像形成装置Ａを使用するユーザ毎に、ユーザに係る識別符号に対応するユーザ名、当月の累積使用回数に加えて、先月の累積使用回数（先月回数）、当月のカラー累積使用回数（カラー枚数）、当月のモノクロ累積使用回数（モノクロ枚数）等をテーブル状に一覧にした履歴情報である。
【００３７】
図３ではユーザ「ＦＦＦ」についてのみ、便宜上、先月の累積使用回数（先月回数）、当月のカラー累積使用回数（カラー枚数）および当月のモノクロ累積使用回数（モノクロ枚数）等の詳細情報を図示している。
【００３８】
なお、識別符号に対応するユーザ名は予め入力設定されており、図示はしないが、ユーザ毎に直近の前後の上位者および下位者との枚数差も含まれる。
【００３９】
ユーザ履歴作成部７は、ユーザが当該画像形成装置Ａを使用する都度、すなわちユーザを特定する識別符号を入力する都度、記憶部５に記憶されたユーザ履歴を読み出し、入力された識別符号と、当該ユーザの使用に係る当月の累積使用回数、当月のカラー累積使用回数、当月のモノクロ累積使用回数を加算累積して更新するとともに、直近の上位者および下位者との枚数差を演算更新し、上述した更新ユーザ履歴を作成して主制御部１に出力する機能を有している。
【００４０】
当月の累積使用回数およびカラー／モノクロ累積使用回数を演算するための使用回数およびカラー／モノクロ印刷枚数は、入力された画像データに添付された印刷制御情報や操作パネル部９からの入力指示、又は印刷部１１の印刷動作によって得られた情報を加算して得られる。
【００４１】
操作パネル部９は、図２に示すように、本体ケース１５の上部に配置され、主制御部１の制御の下、例えば、種々の動作状態の表示が可能な表示部としての公知の例えば液晶表示パネルと、装置の動作に係る画像が表示されたキーを押下することにより、画像読取、印刷指示その他の指示を受付ける入力部としての機能を有している。
【００４２】
すなわち、操作パネル部９は、例えば図４に示すように、印刷（印字、コピー）処理、プリンタ処理、スキャナ処理、ファックス処理等の種々の操作指示や選択をする選択キー９ａ、それらの操作に係る動作機能の設定、変更等を入力する入力部としてのテンキー９ｂ、スタートキー９ｃ、表示パネル部９ｄ等を有している。
【００４３】
表示パネル部９ｄは、後述するように、ユーザ履歴を表示する表示部として機能するとともに、表示された個々のユーザ履歴上をタッチすることにより、当該履歴の選択を受け付ける選択部として機能する。
【００４４】
印刷部１１は、画像データから印刷画像イメージデータを展開作成し、これに基づきトナー像を画像形成し、このトナー像を用紙に転写定着して排紙するものである。
【００４５】
通信部１３は、主制御部１の制御の下、所定のプロトコルに従い、ネットワークＮＴを介して情報処理装置（コンピュータ）Ｂとの間で画像データの送受信や、後述するようにユーザ履歴を情報処理装置に送信するインターフェース部である。
【００４６】
図２は画像形成装置Ａの内部構成を概略的に示す概略内部構成図である。
【００４７】
画像形成装置Ａは、本体ケース１５内に、大きさの異なる用紙のセットされる複数の給紙段１７ａ、１７ｂと、印刷画像イメージデータに基づきトナーで感光体ドラムにトナー現像してこれを用紙に転写する転写部１９と、トナー像の転写された用紙を定着する定着部２１と、定着された用紙を両面印刷用に転写部１９に戻す反転搬送部２３等とを有し、これらが印刷部１１を形成している。符号２５は排紙トレイである。
【００４８】
印刷部１１における感光体ドラムは、マゼンタ（Ｍ）、シアン（Ｃ）、イエロ（Ｙ）およびブラック（Ｋ）の色別に配置されており、画像形成部として機能している。
【００４９】
図１に戻って、主制御部１は、ＣＰＵ、このＣＰＵの動作プログラムを格納したＲＯＭおよび作業用ＲＡＭ（何れも図示せず。）を有して形成されており、上述し画像取込部３、記憶部５、ユーザ履歴作成部７、操作パネル部９、印刷部１１および通信部１３等を制御するとともに、以下の表示制御部２７としての機能を有している。
【００５０】
すなわち、表示制御部２７は、ユーザ履歴が作成され、ユーザの識別符号が入力されたとき、入力された識別符号に係る当該ユーザの累積使用回数を基準回数（例えば２００回）と比較し、当該ユーザの累積使用回数が基準回数を超えて多いとき、所定期間（例えば毎月初からの１ケ月間）における使用回数の多い順に、当該ユーザを含めて所定数（例えば１０個）のユーザ履歴を操作パネル部１１に表示制御する機能を有している。
【００５１】
具体的には、表示制御部２７は、図５に示すように、使用回数の多い最上位順からユーザ履歴を表示するとともに、個々のユーザ毎のユーザ履歴としてユーザ名、使用順位および使用回数を表示ボタン又は表示アイコンとして僅かの間隔を置いて整列表示する機能を有している。
【００５２】
なお、入力された当該ユーザの順位が最上位順から数えて１１位以降であれば、当該ユーザの順位前後の１０個のユーザ履歴を表示するよう表示制御部２７を形成することが可能である。
【００５３】
表示制御部２７は、表示された操作パネル部９の表示パネル部９ｄにおいて、個々のユーザ履歴上にタッチよって選択受付られたユーザ履歴の更に詳細情報を表示制御する機能を有している。
【００５４】
図４は、操作パネル部９の表示パネル部９ｄにおいて、使用回数の最上位のユーザ「１．ＡＡＡ６６７」、「２．ＢＢＢ５９２」〜「６．ＦＦＦ３９６」〜「１０．ＪＪＪ２０１」を一覧表示で示すものであり、例えば６位の「６．ＦＦＦ３９６」が選択されて、ユーザ名「ＦＦＦ」に関し、先月の印刷枚数「３９８」、カラー印刷枚数「２０１」、モノクロ印刷枚数「１９５」、上位者との差枚数「２」、下位者との差枚数「９３」を表示している。
【００５５】
表示制御部２７は、作成したユーザ履歴を通信部１３からネットワークＮＴを介して情報処理装置Ｂに出力する出力制御部としての機能も有する。なお、通信部１３から出力するユーザ履歴は、上述した図３に示す個々のユーザ履歴の一覧全体である。
【００５６】
次に、情報処理装置Ｂの構成を簡単に説明する。
【００５７】
図１において、情報処理装置Ｂは、通信部２９、画像データ作成部３１、入力選択部３３、表示制御部３５および表示部３７その他を有するコンピュータである。なお、情報処理装置Ｂは、これ以外にも構成を有するが、本発明の要旨ではないので説明および図示を省略する。
【００５８】
通信部２９は、所定のプロトコルに従い、ネットワークＮＴを介して画像形成装置Ａとの間で画像データの送受信やユーザ履歴の受信をするインターフェース部である。
【００５９】
画像データ作成部３１は、公知の文書作成プログラム等によって文書を作成するとともに、これに基づき画像データを作成するものであり、通信部２９を介して画像データを識別符号とともに画像形成装置Ａに送信する機能を有する。
【００６０】
入力選択部３３は、文字入力や機能選択指示を行って情報処理装置Ｂを操作する例えばキーボードやマウス等であり、入力部や選択部として機能する。
【００６１】
表示部３７は、情報処理装置Ｂにおける種々の動作を表示するとともに、上述したユーザ履歴を表示するディスプレイであり、機能的には操作パネル部９の表示パネル部９ｄと同様である。
【００６２】
表示制御部３５は、画像形成装置Ａの表示制御部２７と同様に、通信部２９を介して画像形成装置Ａから取得したユーザ履歴を表示部３７に表示制御する機能を有している。
【００６３】
表示制御部３５は、表示部３７に表示された個々のユーザ履歴について入力選択部３３からの選択に基づき、選択受付られたユーザ履歴の更に詳細情報を表示制御する機能を有している。
【００６４】
次に、本発明に係る画像形成装置を含む画像形成システムの動作を簡単に説明する。
【００６５】
画像取込部３に原稿をセットし、操作パネル部９からユーザの識別符号を入力して読取開始を指示入力すると、画像取込部３が原稿から画像データを読み取って記憶部５に記憶する。
【００６６】
ユーザ履歴作成部７は、記憶部５に記憶されたユーザ履歴を読み出し、入力された識別符号と、当該ユーザの使用に係る当月の累積使用回数、当月のカラー累積使用回数、当月のモノクロ累積使用回数を加算累積して更新するとともに、直近の上位者および下位者との枚数差を演算更新し、上述した更新ユーザ履歴の一覧を作成して主制御部１に出力し、記憶部５に記憶させる。
【００６７】
表示制御部２７は、ユーザ履歴の一覧が作成されたとき、入力された識別符号に係る当該ユーザの累積使用回数を基準回数（２００回）と比較し、当該ユーザの累積使用回数が基準回数を超えて多いとき、所定期間（例えば毎月初からの１ケ月間）における使用回数の多い順に、図５に示すように、当該ユーザを含めて例えば１０個のユーザ履歴を操作パネル部１１に表示させる。
【００６８】
操作パネル部９の表示パネル部９ｄにおいて、個々のユーザ履歴上にタッチすることによってそれが選択されると、表示制御部２７は選択されたユーザ履歴の詳細情報を表示させる。
【００６９】
画像取込部３からの画像データ入力に限らず、通信部１３を介して情報処理装置Ｂからの画像データの入力においても、同様に動作する。
【００７０】
情報処理装置Ｂから画像データが入力された場合には、表示制御部２７がユーザ履歴（ユーザ履歴の一覧）を通信部１３からネットワークＮＴを介して情報処理装置Ｂに出力する。
【００７１】
情報処理装置Ｂにおいては、通信部２９を介して画像形成装置Ａから取得したユーザ履歴を、表示制御部３５が表示部３７に表示させるし、表示部３７に表示された個々のユーザ履歴について入力選択部３３からの選択に基づき、表示制御部３５がユーザ履歴の詳細情報を表示部３７に表示させる。
【００７２】
このように本発明の表示制御装置Ａは、画像形成装置Ａに対する画像データと当該画像データの取り込みに際して求められるユーザに係る識別符号との入力を受ける画像取込部３、操作パネル部９又は通信部１３等入力部と、当該装置に係る累積使用回数を含むユーザ毎のユーザ履歴を記憶する記憶部５と、その識別符号が入力されたとき、記憶されたユーザ履歴に対し当該ユーザの累積使用回数を更新してそのユーザ履歴を作成するユーザ履歴作成部７と、そのユーザ履歴を表示する表示部と、入力された識別符号に係る当該ユーザの累積使用回数が基準回数を超えて多いとき、所定期間における使用回数の多い順に、当該ユーザを含めて所定数のユーザ履歴をその表示部に表示制御する表示制御部２７と、を具備している。
【００７３】
そのため、画像形成毎に使用量の多いユーザに警鐘となる使用順位情報を提供し、ユーザに対して使用量削減を意識させることが可能である。
【００７４】
特に、表示されるユーザ履歴としてユーザ名に加えて、使用順位および又は使用回数を表示するから、使用量の多いユーザに警鐘となる具体的な使用順位情報を提供可能である。
【００７５】
しかも、使用回数の多い最上位順からユーザ履歴を表示することが可能であるから、使用量の多いユーザに警鐘となるより端的な使用順位情報を提供可能であるし、入力された識別符号に係る当該ユーザの順位前後の所定数のユーザ履歴を表示すれば、使用回数の多いユーザが多数いても、領域の限られた表示部において、入力された識別符号に係る当該ユーザの順位履歴を表示することが容易である。
【００７６】
さらに、選択された個々のユーザ履歴の詳細履歴をその表示部に表示するから、使用量の多い特定ユーザの詳細使用情報を提供可能である。
【００７７】
さらにまた、ユーザ履歴を当該装置の外部へ出力制御するよう表示制御部２７を形成すれば、外部の機器においてユーザ履歴やこの詳細履歴を表示可能になる。
【００７８】
ところで、本発明の表示制御装置では、上述したようにユーザの履歴を表示するのみならず、例えば操作パネル部９に警報部としてのＬＥＤからなる点灯部ｄおよび又はスピーカからなる警報発音部ｓを配置し、入力された識別符号に係る使用回数が上述した基準回数を超えるとき、表示制御部２７が点灯部ｄおよび又は警報発音部ｓを駆動制御する構成にすることが可能である。
【００７９】
このような構成では、一定期間中に使用量が多いユーザ（又はその期間より前期間に使用量が多かったユーザ）について、使用毎に点灯部ｄを点滅させたり、警報発音部ｓでビープ音を鳴らせることにより、当該ユーザに注意を促すことが可能である。
【００８０】
また、本発明における上述したユーザの識別符号としては、社員番号、部署コード等の種々の番号などで実施可能であるし、上述した基準回数および所定期間についても任意に設定可能である。
【００８１】
そして、本発明の画像形成装置Ａと情報処理装Ｂで形成される本発明の画像形成システムにおいては、上述した表示制御装置と同様の効果が得られることに加え、画像データを送信した外部の情報処理装置Ｂの表示部３５上に上位者のユーザ履歴を表示させることが可能で、使い勝手が向上する。
【符号の説明】
【００８２】
１  主制御部
３  画像取込部（入力部）
５  記憶部
７  ユーザ履歴作成部
９  操作パネル部（表示部、入力部、選択部、警報部）
９ａ  選択キー
９ｂ  テンキー
９ｃ  スタートキー
９ｄ  表示パネル部
１１  印刷部
１３、２９  通信部
１５  本体ケース
１７ａ、１７ｂ  給紙段
１９  転写部
２１  定着部
２３  反転搬送部
２５  排紙トレイ
２７  表示制御部
３１  画像データ作成部
３３  入力選択部（選択部）
３５  表示制御部
３７  表示部
Ａ  画像形成装置
Ｂ  情報処理装置
ｄ  点灯部
ＮＴ  ネットワーク
ｓ  警報発音部
【図１】
2011113023.tif 000003
【図２】
2011113023.tif 000004
【図３】
2011113023.tif 000005
【図４】
2011113023.tif 000006
【図５】
2011113023.tif 000007